(57)【特許請求の範囲】
【請求項１】
水栓本体と、該水栓本体を回動操作するためのハンドルとを具備した水栓であって、
前記ハンドルは、前記水栓本体の外周面に設けられた溝に係止する係止爪を有する略筒状のハンドルガイドと、該ハンドルガイドの外側に装着され、前記係止爪の外側への移動を規制する規制部を有する略筒状のハンドルカバーとを備え、前記規制部は、ハンドルカバーの強度を向上させるようハンドルカバーの内周面における長手方向に延びるリブで構成され、さらに、前記リブはハンドルガイドに設けられたスリットに差し込み可能に構成されていることを特徴とする水栓。
【請求項２】
前記ハンドルカバーに設けられた貫通孔に、前記ハンドルガイドに設けられた係合片が係合するように構成されている請求項１に記載の水栓。
【発明の詳細な説明】
【技術分野】
【０００１】
本発明は、例えば、湯水混合水栓等の水栓に関する。
【背景技術】
【０００２】
従来、図１１（Ａ）に示すように、水栓本体１にビス５１留めされ、このビス５１を覆うようにキャップ５２が装着されるハンドル５３を備えた水栓が知られている。
【発明の概要】
【発明が解決しようとする課題】
【０００３】
しかし、上記従来の水栓では、ビス５１留めが必要なためハンドル５３の組付け作業が煩雑となり、ハンドル５３の一部のみを覆うキャップ５２が意匠性を低下させる恐れもある。
【０００４】
そこで、図１１（Ｂ）に示すように、ハンドル５３の内部に爪５４を設け、この爪５４を水栓本体１の外周面に設けられた溝２に係止させることが考えられるが、この場合、溝２に対する爪５４の係止が意図せず外れる懸念がある。
【０００５】
本発明は上述の事柄に留意してなされたもので、その目的は、ハンドルの装着状態の安定化を図ることができ、意匠性を高めることも可能な水栓を提供することにある。
【課題を解決するための手段】
【０００６】
上記目的を達成するために、本発明に係る水栓は、水栓本体と、該水栓本体を回動操作するためのハンドルとを具備した水栓であって、前記ハンドルは、前記水栓本体の外周面に設けられた溝に係止する係止爪を有する略筒状のハンドルガイドと、該ハンドルガイドの外側に装着され、前記係止爪の外側への移動を規制する規制部を有する略筒状のハンドルカバーとを備え、前記規制部は、ハンドルカバーの強度を向上させるようハンドルカバーの内周面における長手方向に延びるリブで構成され、さらに、前記リブはハンドルガイドに設けられたスリットに差し込み可能に構成されている（請求項１）。
【０００７】
上記水栓において、前記ハンドルカバーに設けられた貫通孔に、前記ハンドルガイドに設けられた係合片が係合するように構成してあってもよい（請求項２）。
【発明の効果】
【０００８】
本願発明では、ハンドルの装着状態の安定化を図ることができ、意匠性を高めることも可能な水栓が得られる。
【０００９】
すなわち、本願の各請求項に係る発明の水栓では、規制部によって水栓本体（の溝）からハンドル（の係止爪）が不意に外れることが防止されるので、ハンドルの装着状態の安定化を図ることができる。また、ハンドルの外面全体をハンドルカバーのみで構成することができ、ハンドルの一部のみを覆うキャップを用いる必要が無いので、意匠性を高めることも可能となる。
【００１０】
請求項２に係る発明の水栓ではさらに、ハンドルカバーに設けた貫通孔にハンドルガイドの係合片が係合する構成とすることにより、貫通孔の外側から係合片を押し込んで係合を解除しない限りハンドルが水栓本体から外れることはない上、上記係合を解除することにより水栓本体からハンドルを容易に外すことが可能となる。
【図面の簡単な説明】
【００１１】
【図１】（Ａ）及び（Ｂ）は、本発明の一実施の形態に係る水栓の組付け過程を概略的に示す斜視図である。
【図２】（Ａ）〜（Ｃ）は、ハンドルガイドの構成を概略的に示す平面図、側面図及び背面図である。
【図３】（Ａ）及び（Ｂ）は、図２（Ｃ）におけるＡ−Ａ線切断断面図及びＢ−Ｂ線切断断面図である。
【図４】（Ａ）〜（Ｃ）は、ハンドルカバーの構成を概略的に示す側面図、背面図及び斜視図である。
【図５】（Ａ）及び（Ｂ）は、図４（Ｂ）におけるＡ−Ａ線切断断面図及びＢ−Ｂ線切断断面図である。
【図６】（Ａ）〜（Ｃ）は、前記水栓のハンドルの構成を概略的に示す側面図、正面図及び背面図である。
【図７】（Ａ）及び（Ｂ）は、図６（Ｂ）におけるＡ−Ａ線切断断面図及びＢ−Ｂ線切断断面図である。
【図８】前記ハンドルの構成を概略的に示す斜視図である。
【図９】前記ハンドルの構成を概略的に示す部分切断斜視図である。
【図１０】（Ａ）及び（Ｂ）は、前記水栓の要部の構成を概略的に示す説明図である。
【図１１】（Ａ）及び（Ｂ）は、各々従来の水栓の構成を概略的に示す縦断面図である。
【発明を実施するための形態】
【００１２】
本発明の実施の形態について図面を参照しながら以下に説明する。
【００１３】
本実施の形態に係る水栓は、図１１（Ｂ）に示す水栓本体１を有する。この水栓本体１は、同図に示すように、略円柱状をしており、その外周面を周回する溝２が設けられ、また、先端にはアウターセレーション部３が設けられている。
【００１４】
そして、図１１（Ｂ）に示す従来例では、水栓本体１にハンドル５３を装着しているが、本実施形態の水栓は、ハンドル５３の代わりに、図１（Ａ）及び（Ｂ）に示すハンドル４を装着する。
【００１５】
このハンドル４は、水栓本体１を回動操作するためのものであり、図１（Ａ）及び（Ｂ）に示すように、水栓本体１に対してこれを覆うように装着される略筒状のハンドルガイド５と、ハンドルガイド５の外側にこれを覆うように装着される略筒状のハンドルカバー６とを備えている。
【００１６】
ハンドルガイド５は、図３（Ａ）及び（Ｂ）に示すように、内筒７、中間筒８及び外筒９の三重構造を有する。
【００１７】
内筒７の後端側には、水栓本体１のアウターセレーション部３に嵌合するインナーセレーション部１０が設けられ、先端側は中筒８及び外筒９よりも突出している。そして、図２（Ｃ）及び図３（Ｂ）に示すように、内筒７の後部は、内筒７の外周面から外側に放射状に延びる複数のブリッジ１１を介して中間筒８の前部に繋がっている。
【００１８】
図２（Ｃ）、図３（Ａ）及び（Ｂ）に示すように、中間筒８の後端側には、水栓本体１の外周面に設けられた溝２に係止する係止爪１２が複数設けられている。そして、中間筒８の前部は、環状壁１３を介して外筒９の前部に繋がっている。
【００１９】
図２（Ａ）〜（Ｃ）に示すように、環状壁１３から外筒９にかけて延びるスリット１４が複数設けられている。また、外筒９においてスリット１４を避けた位置には、外側に突出する係合片１５が設けられている。
【００２０】
一方、ハンドルカバー６は、図４（Ａ）、図５（Ａ）及び（Ｂ）に示すように、前部が閉塞された円筒状の外観を呈し、前部には、ハンドルガイド５の内筒７の前部を受け入れる凹入部１６が設けられている。また、図４（Ｂ）及び（Ｃ）、図５（Ａ）及び（Ｂ）に示すように、ハンドルカバー６の内周面には、その長手方向に延びるリブ１７が複数設けられ、各リブ１７はハンドルガイド５のスリット１４に差し込み可能に構成されている。さらに、ハンドルカバー６の周壁には、図４（Ｃ）、図５（Ａ）及び（Ｂ）に示すように、貫通孔１８が形成され、この貫通孔１８にはハンドルガイド５の係合片１５が係合するように構成されている。なお、図４（Ｂ）及び（Ｃ）において、１９は把手である。
【００２１】
上記の構成からなる水栓では、図１（Ａ）に示すように、水栓本体１にハンドルガイド５を装着した後、図１（Ｂ）に示すように、ハンドルガイド５にハンドルカバー６を装着することにより、水栓本体１に対するハンドル４の取付けが完了する。
【００２２】
ここで、水栓本体１に対するハンドルガイド５の装着は、所定方向に向けたハンドルガイド５を水栓本体１に被せ、水栓本体１のアウターセレーション部３（図１１（Ｂ）参照）にハンドルガイド５のインナーセレーション部１０（図３（Ａ）及び（Ｂ）参照）を嵌合させ、水栓本体１の溝２（図１１（Ｂ）参照）にハンドルガイド５の係止爪１２（図３（Ａ）及び（Ｂ）参照）を係止させることにより行える。
【００２３】
また、ハンドルガイド５に対するハンドルカバー６の装着は、所定方向に向けたハンドルカバー６をハンドルガイド５に被せ、ハンドルガイド５のスリット１４（図２（Ａ）〜（Ｃ）参照）にハンドルカバー６のリブ１７（図４（Ｃ）、図５（Ａ）及び（Ｂ）参照）を嵌合させ、ハンドルガイド５の係合片１５（図２（Ａ）及び図３（Ｂ）参照）をハンドルカバー６の貫通孔１８（図４（Ｃ）、図５（Ａ）及び（Ｂ）参照）に係合させることにより行える。
【００２４】
そして、ハンドルガイド５にハンドルカバー６を装着して得られるハンドル４は、図６〜図９に示す状態になる。
【００２５】
ところで、上記のように水栓本体１にハンドル４を取り付けた取付け状態において、水栓本体１の溝２に対するハンドルガイド５の係止爪１２の係止が意図せずに外れるようなことがあると、水栓本体１からハンドル４が抜けてしまう不都合が生じる。しかし、本実施形態の水栓では、上記取付け状態において、ハンドルカバー６のリブ１７が、ハンドルガイド５の係止爪１２の外側に位置し、係止爪１２の外側への移動を規制する規制部として機能するため（図１０（Ａ）及び（Ｂ）参照）、係止爪１２が溝２から外れることはない。
【００２６】
また、ハンドルカバー６の貫通孔１８に係合するハンドルガイド５の係合片１５を貫通孔１８の外側から例えば適宜の道具を用いて押し込むことにより、貫通孔１８に対する係合片１５の係合を解除することができ、この状態でハンドルカバー６をハンドルガイド５から取り外せば、係止爪１２の外側への移動を規制する規制部が存在しなくなるため、ハンドルガイド５を水栓本体１から外すことが可能となる。
【００２７】
以上説明したように、本実施形態の水栓では、リブ１７（規制部）によって水栓本体１（の溝２）からハンドル４（の係止爪１２）が不意に外れることが防止されるので、ハンドル４の装着状態の安定化を図ることができる。また、ハンドル４の外面全体をハンドルカバー６のみで構成することができ、ハンドル４の一部のみを覆うキャップを用いる必要が無いので、意匠性を高めることも可能となる。さらに、ハンドルカバー６に設けた貫通孔１８にハンドルガイド５の係合片１５が係合する構成とすることにより、貫通孔１８の外側から係合片１５を押し込んで係合を解除しない限りハンドル４が水栓本体１から外れることはない上、上記係合を解除することにより水栓本体１からハンドル４を容易に外すことが可能となる。
【００２８】
しかも、本実施形態のリブ１７は、上記のように規制部として機能するのみならず、ハンドルカバー６の強度を向上させる効果をも奏する。
【００２９】
なお、本発明は、上記の実施の形態に何ら限定されず、本発明の要旨を逸脱しない範囲において種々に変形して実施し得ることは勿論である。例えば、以下のような変形例を挙げることができる。
【００３０】
上記実施の形態では、ハンドル４は、水栓本体１から下流側に導出される湯水の温度調整用のハンドルとして設けられたものであるが、これに限らず、例えば水栓本体１から下流側に導出される湯水の吐出量調整用や吐出形態切替（シャワー吐出形態とカラン吐出形態との切替）用のハンドル等であってもよい。
【００３１】
水栓本体１に設けられる溝２は、水栓本体１の外周面を周回する一繋ぎの溝に限らず、水栓本体１の外周面上に相互に離れて存在する複数の溝等であってもよい。
【００３２】
上記実施形態では、係止爪１２及びリブ１７（規制部）を複数設けているが、単数としてもよく、また、上記実施形態では、係合片１５及び貫通孔１８を一つずつ設けてあるが、これに限らず、何れか一方又は両方を複数設けてあってもよい。
【００３３】
なお、本明細書で挙げた変形例どうしを適宜組み合わせてもよいことはいうまでもない。
【符号の説明】
【００３４】
１    水栓本体
２    溝
３    アウターセレーション部
４    ハンドル
５    ハンドルガイド
６    ハンドルカバー
７    内筒
８    中間筒
９    外筒
１０    インナーセレーション部
１１    ブリッジ
１２    係止爪
１３    環状壁
１４    スリット
１５    係合片
１６    凹入部
１７    リブ
１８    貫通孔
１９    把手
５１    ビス
５２    キャップ
５３    ハンドル
５４    爪
【図１】
0006682138.tif 000002
【図２】
0006682138.tif 000003
【図３】
0006682138.tif 000004
【図４】
0006682138.tif 000005
【図５】
0006682138.tif 000006
【図６】
0006682138.tif 000007
【図７】
0006682138.tif 000008
【図８】
0006682138.tif 000009
【図９】
0006682138.tif 000010
【図１０】
0006682138.tif 000011
【図１１】
0006682138.tif 000012